(57)【要約】【目的】  研磨ベルトの交換作業が容易にでき、なお且つ、遊技島台内での玉磨き揚送装置の設置方向に関わらずクランプ部材を共通使用することができる玉磨き揚送装置を提供する。【解決手段】  下側クランプ部材６０は、蝶ナット７３の螺合によって押込板６２を押し込む支軸ボルト６５が一端に立設される一方、滑り防止部材７１の一端が支点となって撓んだ押込板６１を押し込んで固定する止め金具６８が他端に設けられた固定板６１を備え、該固定板６１に穿設された取付穴６４を介して固定板６１をガイドレール１１にビス６３止めする。これにより、下側クランプ部材６０をガイドレール１１に対して左右反転させた状態で取り付けることができるので、研磨ベルトの交換作業が容易にでき、なお且つ、玉磨き揚送装置１の設置方向に関わらず下側クランプ部材６０を共通使用することができる。【選択図】        図４
2010227282.tif 000002
【特許請求の範囲】
【請求項１】
遊技島台に形成される揚送装置収納部に設置され、且つ、前記遊技島台に列設される複数の遊技機に供給するパチンコ玉を、垂直状に立設される揚送筒本体の上下の各端部に回転自在に軸支される上部ローラと下部ローラとの間を周回せしめられる無端状の搬送ベルトと、前記揚送筒本体の一側面であって前記搬送ベルトの上昇面と対面するように配置されたガイドレールに設けられる研磨ベルトと、で挟持することによって揚送する玉磨き揚送装置において、
前記研磨ベルトを前記ガイドレールに対してクランプ状態に固定するクランプ部材を備え、
該クランプ部材は、少なくとも前記研磨ベルトの横幅寸法よりも長い横幅寸法に形成されて前記ガイドレールに着脱自在に取り付けられる固定板と、該固定板との間で前記研磨ベルトをクランプする押込板と、該押込板又は前記固定板の少なくともいずれか一方のクランプ面に固着されて前記押込板と前記固定板との間で前記研磨ベルトが滑らないように押さえ込む滑り防止部材と、を有し、
前記固定板は、該固定板を左右反転させた状態で前記ガイドレールに対して着脱自在に取り付けを可能にする取付部を有すると共に、該固定板の横幅方向における一端に支軸ボルトが立設される一方、他端に、当該固定板に対して回転自在に設けられると共に、その一方向への回転によって前記押込板の他端側と係合し、他方向への回転によってその係合を解除する回転固定部材が設けられ、
前記押込板は、該押込板の横幅方向における一端に前記支軸ボルトが挿通される挿通穴が穿設される一方、他端に前記回転固定部材と係合する係合部が形成され、
前記固定板を前記取付部によって左右反転のいずれか一方の状態で前記ガイドレールに取り付けた状態において、前記固定板の前記支軸ボルトに前記押込板の挿通穴を挿通して蝶ナットを螺合することにより前記押込板の一端側を前記固定板側へ押し込む一方、前記回転固定部材を一方向に回転させることにより前記支軸ボルトと蝶ナットとの螺合により前記滑り防止部材の横幅方向における一端が支点となって撓んだ前記押込板の他端側と係合させて当該押込板の他端側を前記固定板側への押し込み固定することを特徴とする玉磨き揚送装置。
【請求項２】
前記回転固定部材は、両側面が前記固定板に回転自在に軸支されると共に、前記両側面を連結する上面の内壁部分が前記押込板の外側面と当接することで前記押込板を前記固定板側へ押し込んで固定する断面コ字状の止め金具から構成され、
前記押込板の横幅方向における他端は、当該押込板が前記止め金具によって前記固定板側へ押し込み固定された状態で、前記止め金具の前記内壁部分から外方へ突出する長さに形成され、
前記押込板の横幅方向における他端側の先端部分には、当該押込板が前記止め金具によって前記固定板側へ押し込み固定される際、前記止め金具の前記内壁部分との当接をスムーズにするＲ加工が施されていることを特徴とする請求項１記載の玉磨き揚送装置。
【請求項３】
前記止め金具の上面部分の一端側には、前記押込板の横幅方向における他端側の先端部分との当接によって、当該止め金具の上面の内壁部分が前記押込板の横幅方向における他端側の先端部分を押さえ込む位置まで前記止め金具の回転動作を誘導する押込誘導片部が延設されていることを特徴とする請求項２記載の玉磨き揚送装置。
【発明の詳細な説明】
【技術分野】
【０００１】
本発明は、遊技島台に形成される揚送装置収納部に設置され、且つ、前記遊技島台に列設される複数の遊技機に供給するパチンコ玉を、垂直状に立設される揚送筒本体の上下の各端部に回転自在に軸支される上部ローラと下部ローラとの間を周回せしめられる無端状の搬送ベルトと、前記揚送筒本体の一側面であって前記搬送ベルトの上昇面と対面するように配置されたガイドレールに設けられる研磨ベルトと、で挟持することによって揚送する玉磨き揚送装置に関するものである。
【背景技術】
【０００２】
従来、一般に、複数の遊技機（例えば、パチンコ機）を列設する遊技島台には、遊技島台の複数の遊技機に供給するパチンコ玉を揚送する玉磨き揚送装置が設けられている。玉磨き揚送装置は、上部及び下部の各ローラ間を周回せしめられる無端状の搬送ベルトと、研磨ベルトとの間でパチンコ玉を挟持して当該パチンコ玉を揚送すると同時に、研磨ベルトによってパチンコ玉の表面に付着した汚れを研磨して取り除くようになっている。このような研磨ベルトは、搬送ベルトの上昇面と対面するように配置されたガイドレールに取り付けられる。そして、ガイドレールには、特許文献１，２に開示されているように、当該ガイドレールに対して研磨ベルトを着脱自在に取り付けるためのクランプ部材が設けられて、研磨ベルトの交換を可能にしている。特許文献１のクランプ部材は、遊技島台の平面概略図である図１１に示すように、固定板２０１に対して横幅方向の一端が支軸２０３を中心として回転自在（開閉自在）に軸支された押込板２０２を備えると共に、押込板２０２を閉じてこの状態を止め金具で保持することにより、固定板２０１と押込板２０２との間に研磨ベルトをクランプする構成となっている。また、特許文献２のクランプ部材は、同じく遊技島台の平面概略図である図１２に示すように、横幅方向の一端に支軸ボルト２１１ａが立設される一方で横幅方向の他端に係止ボルト２１１ｂが立設された固定板２１１と、横幅方向の一端に支軸ボルト２１１ａが挿通される長穴形状の挿通穴が穿設される一方で横幅方向の他端に係止ボルト２１１ｂが係合される逆Ｌ字状の係合穴が穿設された押込板２１２と、を備えて、固定板２１１の各ボルト２１１ａ，２１１ｂに蝶ナットを螺合して押込板２１２を押さえ込むことで、固定板２１１と押込板２１２との間に研磨ベルトをクランプする構成となっている。
また、上記したような研磨ベルトを備えた玉磨き揚送装置は、横長方形状の遊技島台のほぼ中央に形成された揚送装置収納部内に設置されるようになっており、図１１及び図１２に示すように、揚送装置収納部１１２内での玉磨き揚送装置１１１の設置の仕方としては、複数の遊技機１１０を列設する遊技島台１００，１０１，１０２の構成に応じて縦置きと横置きとがある。縦置きと横置きとの違いは、玉磨き揚送装置１１１上端に設けられて研磨揚送したパチンコ玉を排出する排出樋１１３の玉排出口１１４の向きによるものであり、排出樋１１３の玉排出口１１４を遊技島台１００の長手方向と直交する向きに配置した置き方が縦置きとなり（図１１（Ａ），（Ｂ）及び図１２（Ａ），（Ｂ）参照）、排出樋１１３の玉排出口１１４を遊技島台１０１，１０２の長手方向に沿った向きに配置した置き方が横置きとなる（図１１（Ｃ），（Ｄ）及び図１２（Ｃ），（Ｄ）参照）。また、横置きには、排出樋１１３の玉排出口１１４を遊技島台１０１の右方向に向けた右向き（図１１（Ｃ）及び図１２（Ｃ）参照）と、排出樋１１３の玉排出口１１４を遊技島台１０２の左方向に向けた左向き（図１１（Ｄ）及び図１２（Ｄ）参照）と、の２通りの置き方が存在している。
【先行技術文献】
【特許文献】
【０００３】
【特許文献１】特開平１１−１６９５４９号公報（図７）
【特許文献２】特開２００４−１７４１６０号公報（図５）
【発明の概要】
【発明が解決しようとする課題】
【０００４】
ところで、上記特許文献１，２のクランプ部材は、玉磨き揚送装置１１１を縦置きする遊技島台１００（以下、これを縦置きの遊技島台１００という）に対しては、研磨ベルトを交換する際の作業性になんら問題を生じることがないが、玉磨き揚送装置１１１を横置きする遊技島台１０１，１０２（以下、これを横置きの遊技島台１０１，１０２という）に対しては、研磨ベルトを交換する際の作業性に問題を生じることがある。具体的に、縦置きの遊技島台１００の玉磨き揚送装置１１１に特許文献１のクランプ部材を取り付けた場合、図１１（Ａ），（Ｂ）に示すように、揚送装置収納部１１２を開閉する揚送装置扉１１５を開放すれば、作業者側に押込板２０２が対向するようになるため、支軸２０３がどちらの端部にあっても支軸２０３を中心とした押込板２０２の開放作業を容易に行うことができ、結果として、研磨ベルトの交換作業が容易に行える。また、縦置きの遊技島台１００の玉磨き揚送装置１１１に特許文献２のクランプ部材を取り付けた場合、図１２（Ａ），（Ｂ）に示すように、揚送装置扉１１５を開放すれば、作業者側に押込板２１２が対向するようになるため、支軸ボルト２１１ａがどちらの端部にあっても各ボルト２１１ａ，２１１ｂに螺合する蝶ナットの取り外し作業を容易に行うことができ、結果として、研磨ベルトの交換作業が容易に行える。
一方、横置きの遊技島台１０１，１０２の玉磨き揚送装置１１１に特許文献１のクランプ部材を取り付ける場合、揚送装置扉１１５を開放した状態で、研磨ベルトの交換作業が容易に行えるようにするには、押込板２０２の開放側（支軸２０３の反対側）が揚送装置扉１１５側となるように取り付ける必要がある。そこで、図１１（Ｃ）に示すように、玉排出口１１４を右向きとした横置きの遊技島台１０１において、研磨ベルトの交換作業が容易に行えるようにするには、押込板２０２を正面から見た状態で左側端に支軸２０３を設ける必要がある。言い換えれば、固定板２０１に対して支軸２０３を中心に開閉自在に押込板２０２を設けた特許文献１のクランプ部材としては、右側開きのものを用意する必要がある。しかしながら、このような右側開きのクランプ部材を、玉排出口１１４を左向きとした横置きの遊技島台１０２で用いた場合、図１１（Ｄ）に示すように、揚送装置扉１１５を開放した状態で、作業者側に押込板２０２の支軸２０３側（開放の反対側）が対向するようになるため、研磨ベルトの交換作業が困難なものとなってしまう。
また、横置きの遊技島台１０１，１０２の玉磨き揚送装置１１１に特許文献２のクランプ部材を取り付ける場合、揚送装置扉１１５を開放した状態で、研磨ベルトの交換作業が容易に行えるようにするには、固定板２１１の係止ボルト２１１ｂと係合する押込板２１２の係合側（支軸ボルト２１１ａによる支軸側の反対側）が揚送装置扉１１５側となるように取り付ける必要がある。そこで、図１２（Ｃ）に示すように、玉排出口１１４を右向きとした横置きの遊技島台１０１において、研磨ベルトの交換作業が容易に行えるようにするには、押込板２１２を正面から見た状態で固定板２１１の左側端に支軸ボルト２１１ａを設ける必要がある。言い換えれば、固定板２０１一端の支軸ボルト２１１ａと固定板２０１他端の係止ボルト２１１ｂとに蝶ナットを螺合することで押込板２１２を押し込む特許文献２のクランプ部材としては、左側に支軸部分（支軸ボルト２１１ａ）を設ける一方で右側に係合部分（係止ボルト２１１ｂ）を設けたものを用意する必要がある。しかしながら、このような左側支軸のクランプ部材を、玉排出口１１４を左向きとした横置きの遊技島台１０２で用いた場合、図１２（Ｄ）に示すように、揚送装置扉１１５を開放した状態で、作業者側に固定板２０１の支軸ボルト２１１ａ側（係合部分の反対側）が対向するようになるため、研磨ベルトの交換作業が困難なものとなってしまう。
しかして、特許文献１，２の構成によれば、玉磨き揚送装置を横置きする場合、研磨ベルトの交換作業を容易にするため、右向き用のものと左向き用のものとを個別に用意しておく必要があり、右向き用及び左向き用の２種類のクランプ部材を両方とも製造するためのコストの増大や補充部品の在庫量の増大が避けられないという問題点を有していた。さらには、２種類のクランプ部材を取付工事現場（遊技場）に輸送し間違えた場合には、正規のクランプ部材が届くまでの期間で取り付け作業ができないので、作業の延滞を招くという問題点を有していた。
本発明は、上記した事情に鑑みなされたもので、その目的とするところは、研磨ベルトをクランプ部材で固定する玉磨き揚送装置において、研磨ベルトの交換作業が容易にでき、なお且つ、遊技島台内での玉磨き揚送装置の設置方向に関わらずクランプ部材を共通使用することができる玉磨き揚送装置を提供することにある。
【課題を解決するための手段】
【０００５】
上記した目的を達成するために、請求項１の発明においては、遊技島台に形成される揚送装置収納部に設置され、且つ、前記遊技島台に列設される複数の遊技機に供給するパチンコ玉を、垂直状に立設される揚送筒本体の上下の各端部に回転自在に軸支される上部ローラと下部ローラとの間を周回せしめられる無端状の搬送ベルトと、前記揚送筒本体の一側面であって前記搬送ベルトの上昇面と対面するように配置されたガイドレールに設けられる研磨ベルトと、で挟持することによって揚送する玉磨き揚送装置において、前記研磨ベルトを前記ガイドレールに対してクランプ状態に固定するクランプ部材を備え、該クランプ部材は、少なくとも前記研磨ベルトの横幅寸法よりも長い横幅寸法に形成されて前記ガイドレールに着脱自在に取り付けられる固定板と、該固定板との間で前記研磨ベルトをクランプする押込板と、該押込板又は前記固定板の少なくともいずれか一方のクランプ面に固着されて前記押込板と前記固定板との間で前記研磨ベルトが滑らないように押さえ込む滑り防止部材と、を有し、前記固定板は、該固定板を左右反転させた状態で前記ガイドレールに対して着脱自在に取り付けを可能にする取付部を有すると共に、該固定板の横幅方向における一端に支軸ボルトが立設される一方、他端に、当該固定板に対して回転自在に設けられると共に、その一方向への回転によって前記押込板の他端側と係合し、他方向への回転によってその係合を解除する回転固定部材が設けられ、前記押込板は、該押込板の横幅方向における一端に前記支軸ボルトが挿通される挿通穴が穿設される一方、他端に前記回転固定部材と係合する係合部が形成され、前記固定板を前記取付部によって左右反転のいずれか一方の状態で前記ガイドレールに取り付けた状態において、前記固定板の前記支軸ボルトに前記押込板の挿通穴を挿通して蝶ナットを螺合することにより前記押込板の一端側を前記固定板側へ押し込む一方、前記回転固定部材を一方向に回転させることにより前記支軸ボルトと蝶ナットとの螺合により前記滑り防止部材の横幅方向における一端が支点となって撓んだ前記押込板の他端側と係合させて当該押込板の他端側を前記固定板側への押し込み固定することを特徴とする。
【０００６】
また、請求項２の発明においては、前記回転固定部材は、両側面が前記固定板に回転自在に軸支されると共に、前記両側面を連結する上面の内壁部分が前記押込板の外側面と当接することで前記押込板を前記固定板側へ押し込んで固定する断面コ字状の止め金具から構成され、前記押込板の横幅方向における他端は、当該押込板が前記止め金具によって前記固定板側へ押し込み固定された状態で、前記止め金具の前記内壁部分から外方へ突出する長さに形成され、前記押込板の横幅方向における他端側の先端部分には、当該押込板が前記止め金具によって前記固定板側へ押し込み固定される際、前記止め金具の前記内壁部分との当接をスムーズにするＲ加工が施されていることを特徴とする。
【０００７】
更に、請求項３の発明においては、前記止め金具の上面部分の一端側には、前記押込板の横幅方向における他端側の先端部分との当接によって、当該止め金具の上面の内壁部分が前記押込板の横幅方向における他端側の先端部分を押さえ込む位置まで前記止め金具の回転動作を誘導する押込誘導片部が延設されていることを特徴とする。
【発明の効果】
【０００８】
請求項１の発明においては、固定板の一端に、蝶ナットの螺合によって押込板の一端側を固定板側へ押し込む支軸ボルトを立設する一方、固定板の他端に、押込板の一端側の押し込みによって滑り防止部材の一端が支点となって撓んだ押込板の他端側を固定板側へ押し込んで固定する回転固定部材を設けて、ガイドレールに固定された固定板と押込板との間で研磨ベルトをクランプする。これにより、ガイドレールに対して研磨ベルトを着脱自在に取り付けることができる。また、固定板は、該固定板を左右反転させた状態でガイドレールに対して着脱自在に取り付けを可能にする取付部を有するので、遊技島台の揚送装置収納部内に収納されて左右方向となる設置の向きが生じる玉磨き揚送装置に対して、研磨ベルトの交換作業を容易にした上で、１種類のクランプ部材を共通使用することができる。これにより、左右対称形状となる２種類のクランプ部材を用意する必要がなくなるため、クランプ部材の製造コストの増大や補充部品の在庫量の増大を回避することができ、さらには、クランプ部材の種類を間違って取付工事現場（遊技場）に輸送することがないので、取り付け作業の延滞を招くという問題を解消することができる。
【０００９】
また、請求項２の発明においては、押込板の他端側の先端部分にはＲ加工が施されているので、回転固定部材を構成する止め金具を回転操作して止め金具の上面内壁部分で押込板を押し込んで固定する場合、その止め金具の回転操作をスムーズに行うことができる。また、押込板の他端は、止め金具によって押し込み固定された状態で、止め金具の上面から外方へ突出する長さに形成されているので、止め金具の上面内壁部分が押込板の上面と当接した状態を確実に保持することができる。これにより、支軸ボルトと蝶ナットとの螺合により滑り防止部材の一端が支点となって撓んだ押込板の撓み戻りを確実に押さえ込むことができ、結果として、不用意にクランプ部材による研磨ベルトのクランプ状態が解除されるようなことを回避できる。
【００１０】
更に、請求項３の発明においては、止め金具の上面部分の一端側には、止め金具の回転動作を誘導する押込誘導片部が延設されているので、押込板の他端側の先端部分を止め金具の上面の内壁部分と当接させる位置まで強引に指先で押さえ込む必要がなく、結果として、クランプ部材による研磨ベルトのクランプ作業を容易にできる。
【図面の簡単な説明】
【００１１】
【図１】遊技島台の内部構造の概略を示す正面図である。
【図２】玉磨き揚送装置を後方から見た斜視図である。
【図３】研磨ベルトをクランプした状態の下側クランプ部材を示す斜視図である。
【図４】研磨ベルトのクランプ状態を解除した下側クランプ部材を示す斜視図である。
【図５】同図（Ａ）〜（Ｄ）はそれぞれ下側クランプ部材によって研磨ベルトをクランプする手順を示す上面図である。
【図６】同図（Ａ），（Ｂ）はそれぞれ固定板の止め金具によって押込板を押さえ込む動作を示す部分拡大上面図である。
【図７】同図（Ａ），（Ｂ）はそれぞれ研磨ベルトをクランプした状態の下側クランプ部材を示す側面図である。
【図８】同図（Ａ）は左向きに設置された玉磨き揚送装置に取り付けられた下側クランプ部材を示す斜視図であり、同図（Ｂ）は右向きに設置された玉磨き揚送装置に取り付けられた下側クランプ部材を示す斜視図である。
【図９】変形例の下側クランプ部材を示す斜視図である。
【図１０】変形例の下側クランプ部材を玉磨き揚送装置に取り付ける状態を示す斜視図である。
【図１１】同図（Ａ）〜（Ｄ）はそれぞれ従来例のクランプ部材が取り付けられた玉磨き揚送装置を設置した遊技島台を示す上面図である。
【図１２】同図（Ａ）〜（Ｄ）はそれぞれ従来例のクランプ部材が取り付けられた玉磨き揚送装置を設置した遊技島台を示す上面図である。
【発明を実施するための形態】
【００１２】
以下、図面を参照して本発明の実施形態について説明する。先ず、図１を参照して、本実施形態に係る玉磨き揚送装置１が設けられる遊技島台３０の概略構成について説明する。図１は、遊技島台３０の内部構造の概略を示す正面図である。図において、遊技島台３０は、周知のように、直方体状に枠組み構成され、その長手方向側面中央に遊技機３１を背向列設するようになっている。また、遊技島台３０には、その中央部に揚送装置収納部３２が構成され、該揚送装置収納部３２内に本実施形態の要部を構成する玉磨き揚送装置１が収納設置されている。本実施形態に係る玉磨き揚送装置１は、後に詳述するように帯状の搬送ベルト１３によってパチンコ玉を揚送するものである。なお、詳細に図示しないが、玉磨き揚送装置１の上部には、揚送されたパチンコ玉を一時的に貯留する上部タンクが設けられ、その上部タンクから左右に補給樋３３が傾斜状に設けられており、上部タンクからパチンコ玉を流下させるようになっている。補給樋３３には、各遊技機３１に対応して分岐装置３４が設けられ、その分岐装置３４によって分岐された玉が分岐装置３４に接続されるスプリングホース３５と賞球補給装置３６とを介して各遊技機３１に供給される。
【００１３】
一方、各遊技機３１から排出される使用済玉は、周知のように計数機能を有するアウト玉回収箱３７（以下、これをアウト玉計数装置３７ともいう）から下方に排出される。アウト玉回収箱３７から排出されたパチンコ玉は、アウト玉誘導レール３８や貯留タンク３９を介して玉磨き揚送装置１の導入樋７に誘導され、その後は、上記したように玉磨き揚送装置１によって上部に研磨揚送される。つまり、パチンコ玉は、遊技島台３０の内部を循環して使用されている。
【００１４】
また、上記した遊技島台３０は、遊技場に複数配置されるものであるが、このような複数の遊技島台３０のうちの所定の遊技島台３０には、遊技客が獲得したパチンコ玉を当該遊技島台３０の貯留タンク３９に返却するための玉返却装置４０がその島端（必ずしも島端でなくてもよい、例えば、島中央）に設けられている。また、遊技島台３０の両端外部には、貯留タンク３９内の貯留量を報知する等の各種表示機能を有する表示装置４１が設けられている。
【００１５】
次に、本実施形態の要部を構成する玉磨き揚送装置１の全体の構成について、図２乃至図８を参照して説明する。図２は、玉磨き揚送装置１を後方から見た斜視図であり、図３は、研磨ベルト２０をクランプした状態の下側クランプ部材６０を示す斜視図であり、図４は、研磨ベルト２０のクランプ状態を解除した下側クランプ部材６０を示す斜視図であり、図５（Ａ）〜（Ｄ）は、それぞれ下側クランプ部材６０によって研磨ベルト２０をクランプする手順を示す上面図であり、図６（Ａ），（Ｂ）は、それぞれ固定板６１の止め金具６８によって押込板６２を押さえ込む動作を示す部分拡大上面図であり、図７（Ａ），（Ｂ）は、それぞれ研磨ベルト２０をクランプした状態の下側クランプ部材６０を示す側面図であり、図８（Ａ）は、左向きに設置された玉磨き揚送装置１に取り付けられた下側クランプ部材６０を示す斜視図であり、図８（Ｂ）は、右向きに設置された玉磨き揚送装置１に取り付けられた下側クランプ部材６０を示す斜視図である。
【００１６】
図２において、玉磨き揚送装置１は、正方形状に形成された支持台２の上部に角筒状の揚送筒本体３が垂直状に立設され、揚送筒本体３の長手方向の外周を、下部に支持される下部ローラ４と調節ナット１６によって締着軸支される上部ローラ（図示しない）との間に掛け渡される革製で且つ無端状の搬送ベルト１３（図１参照）が周回するようになっている。この搬送ベルト１３の周回駆動は、支持台２に固着されるモータ取付台２１に載置固定されるモータ２２と下部ローラ４とがＶベルト２３によって連結されることによって行われる。また、揚送筒本体３の内部には、複数の中間ローラ（図示しない）が適宜間隔をおいて上下方向に並んで回転自在に軸支され、中間ローラの一部が揚送筒本体３の上昇側面から外に突出して、搬送ベルト１３を案内支持している。
【００１７】
下部ローラ４の下方には、図３及び図４に示すように、図示左側に揚送前のパチンコ玉が導入される導入樋７が固着され、図示右側に導入されたパチンコ玉を揚送筒本体３の下端部まで移動させる流入円弧樋５が固着されている。なお、導入樋７及び流入円弧樋５の内側には、図示しないが、導入されたパチンコ玉を複数列に整列させる溝が形成されている。また、上記した導入樋７及び流入円弧樋５の取付構造は、その一端が僅かに移動し得るように取付板８，６にそれぞれ止着され、その他端が前記支持台２に植立される支持ピン１７にスプリング１８を介して摺動自在に軸支されている。即ち、導入樋７の下端及び流入円弧樋５の下端は、支持ピン１７に挿通されて調節ナット１９によって抜けないように止着されているが、常に支持ピン１７に介装されるスプリング１８によって上方に付勢されている。しかして、調節ナット１９の締着度合によって搬送ベルト１３と導入樋７及び流入円弧樋５との間の微妙な間隔を調整することができ、その間隔を調整することにより、パチンコ玉のスムーズな移動を可能にすることができる。
【００１８】
また、下部ローラ４の上部の揚送筒本体３には、搬送ベルト１３に張力を付与する複数のテンションローラ１４ａ〜１４ｃ（図１参照）が回転自在に軸支されている。特に、第２テンションローラ１４ｃは、スプリング１５を介して取り付けられているので、そのスプリング１５の付勢力によって搬送ベルト１３に対して常に一定の張力を与えることができる。また、下部ローラ４と各テンションローラ１４ａ〜１４ｃとは、ほぼ上下の位置関係にあり、搬送ベルト１３が装着されたときに、下部ローラ４は搬送ベルト１３の内側に位置し、第３テンションローラ１４ｃは、搬送ベルト１３の外側に、第２テンションローラ１４ｂは、搬送ベルト１３の内側に、第１テンションローラ１４ａは、搬送ベルト１３の外側に、それぞれ位置するようになっている。
【００１９】
ところで、揚送筒本体３の背面側には、ガイドレール１１が一側辺を軸支されて開閉自在に取り付けられている。ガイドレール１１は、搬送ベルト１３と対面して揚送される玉を研磨する研磨ベルト２０がその前面の全長に渡って周回装着されるものである。そして、主として研磨ベルト２０を玉磨き揚送装置１に装着する際に開放されると共に、研磨ベルト２０自体がガイドレール１１の表面に搬送ベルト１３と対面するように周回して装着される。また、研磨ベルト２０が装着されたときには、係止金具１２によってガイドレール１１を揚送筒本体３に対面させた状態で固定支持されているものである。なお、係止金具１２は、ガイドレール１１と揚送筒本体３との間の間隔を調節し得るようになっており、この調節により搬送ベルト１３と研磨ベルト２０とによるパチンコ玉の挟持力を常に最適な強さに調節することができるようになっている。研磨ベルト２０は、その玉磨き能力を発揮させるために、比較的織目の粗い布で構成されている。
【００２０】
しかして、上記のように、係止金具１２により揚送筒本体３に対面してガイドレール１１を取り付けた状態において、導入樋７に導入されたパチンコ玉は、流入円弧樋５を経由して、搬送ベルト１３と研磨ベルト２０とに狭持されて研磨されながら揚送され、揚送筒本体３の上方に固着されて玉を吐き出し方向に屈曲する上部屈曲樋９を経由して、排出樋１０からきれいにされたパチンコ玉が排出される。
【００２１】
ところで、上記したガイドレール１１には、その前面の全長に渡って周回装着される研磨ベルト２０を正規の位置に固定して取り付けるための固定手段が設けられている。固定手段は、ガイドレール１１に周回装着された研磨ベルト２０に対して、ガイドレール１１の上端で前面から後面に折り返された部分をクランプ状態で固定する上側クランプ部材５０と、ガイドレール１１の下端で前面から後面に折り返された部分をクランプ状態で固定する下側クランプ部材６０と、から構成されている。
【００２２】
上側クランプ部材５０は、ガイドレール１１に対して固定される固定板５１と、該固定板５１に対して上下方向にスライド可能に取り付けられるスライド板５２と、該スライド板５２に対して上下方向に開閉可能に取り付けられる開閉板５３と、を備えている。そして、開閉板５３とスライド板５２との間に研磨ベルト２０を挿通した状態で開閉板５３を押し下げて閉鎖することにより、開閉板５３とスライド板５２との間で研磨ベルト２０をクランプする一方、この状態から開閉板５３を押し上げて開放することにより、開閉板５３とスライド板５２との間での研磨ベルト２０のクランプ状態を解除して、研磨ベルト２０の順送りを可能とするようになっている。なお、スライド板５２は、図示しないコイルスプリングの付勢力によって常時下方に付勢された状態にあり、スライド板５２に対して一体的に取り付けられた開閉板５３も同様に、下方に付勢された状態となる。その結果、コイルスプリングの付勢に伴うスライド板５２及び開閉板５３の下方への引き寄せによって、研磨ベルト２０に適度なテンションを付加するようになっている。
【００２３】
下側クランプ部材６０は、図５にも示すように、ガイドレール１１に対して固定される横長方形状をなす金属製の固定板６１と、該固定板６１と同様の横長方形状の金属製であり固定板６１との間で研磨ベルト２０をクランプする押込板６２と、を備えている。固定板６１は、研磨ベルト２０の横幅寸法よりも長く、且つガイドレール１１の横幅方向よりも若干長い横幅寸法に形成され、その左右両端寄りには、それぞれ固定板６１をガイドレール１１にビス６３で固定するための取付穴６４が穿設されている。また、固定板６１の一端には、当該固定板６１の板面に対して垂直方向に立設された支軸ボルト６５が一体的に設けられている。一方、固定板６１の他端には、図６及び図７に示すように、支軸ボルト６５の立設方向とは反対方向に折曲された一対の取付片部６６が設けられており、該一対の取付片部６６には、それぞれ支軸６７を中心として断面コ字状の止め金具６８（回転固定部材）が回転自在に取り付けられている。
【００２４】
止め金具６８には、断面コ字状をなす上面部分の一端側（止め金具６８を図５（Ｄ）に示す起立状態に回転して支軸ボルト６５と対向する側）に当該止め金具６８を回転操作するための取っ手部６９が一体的に形成されている。取っ手部６９は、止め金具６８の上面部分から支軸ボルト６５側へ延設した部分を上方へ折曲することで構成されている（図６（Ａ）参照）。また、止め金具６８の上面部分と取っ手部６９との間の延設部分は、後で詳述するように押込板６２を止め金具６８で押さえ込む際の押込誘導片部７０として機能するようになっている。
【００２５】
押込板６２には、固定板６１と対向する面に滑り防止部材７１が一体的に取り付けられている。滑り防止部材７１は、後で詳述する支軸ボルト６５と蝶ナット７３との螺合による押込板６２の一端側の押さえ込み、及び止め金具６８の回転動作による押込板６２の一端側の押さえ込みによって固定板６１との間で挟持する研磨ベルト２０が滑ることなく確実にクランプできるように所定の厚み幅に形成されている。また、押込板６２の一端には、固定板６１の支軸ボルト６５を挿通するための挿通穴（図示しない）が穿設されている。一方、押込板６２の他端は、図６（Ａ），（Ｂ）に示すように、押込板６２の挿通穴に固定板６１の支軸ボルト６５を挿通した状態で、止め金具６８が取り付けられる固定板６１の他端部分よりも若干長めに形成され、その先端部分は、止め金具６８によって押込板６２が押さえ込み易いように、具体的には、押込誘導片部７０による押込板６２の他端部分の押し込みがスムーズに行えるようにアールがかかった（Ｒの面取り加工が施された）先端アール部７２として形成されている。
【００２６】
ここで、下側クランプ部材６０によって研磨ベルト２０をクランプする手順について、図５を参照して説明する。先ず、図５（Ａ）に示すように、固定板６１の支軸ボルト６５を押込板６２の挿通穴（図示しない）に挿通した状態で、固定板６１と押込板６２の滑り防止部材７１との間に研磨ベルト２０を挟む。次いで、図５（Ｂ）に示すように、固定板６１の支軸ボルト６５に対して蝶ナット７３を螺合していき、支軸ボルト６５の立設側となる下側クランプ部材６０の一端側において、研磨ベルト２０を固定板６１と押込板６２（滑り防止部材７１）との間で挟み込む。具体的には、下側クランプ部材６０の一端側における滑り防止部材７１の一側端部と研磨ベルト２０との当接点Ａで研磨ベルト２０がクランプされる。なお、この状態では、止め金具６８の取付側となる下側クランプ部材６０の他端側において、固定板６１及び押込板６２による研磨ベルト２０の挟み込みが行われていない。このため、押込板６２は、当接点Ａから下側クランプ部材６０の他端側に向かって、固定板６１から徐々に開いた状態、即ち、当接点Ａを支点とした押込板６２の撓みによって押込板６２と固定板６１との間隔が徐々に開いた状態となっている。
【００２７】
そして、図５（Ｃ），（Ｄ）に示すように、下側クランプ部材６０の他端側において、傾倒状態にある止め金具６８を起立状態に回転操作することで、固定板６１から開いた状態にある押込板６２の他端側を止め金具６８によって押さえ込み、当接点Ａのみならず滑り防止部材７１の下端全面で研磨ベルト２０をクランプする。なお、止め金具６８を傾倒状態から起立状態へ回転操作する際、止め金具６８の押込誘導片部７０は、図６（Ｂ）に示すように、固定板６１に比べて若干長めに形成され且つＲ加工が施された押込板６２の先端アール部７２を徐々に押さえ込むようになっている。即ち、押込誘導片部７０は、止め金具６８の上面内壁部分が押込板６２の先端アール部７２を押さえ込む位置まで誘導するようになっている。そして、止め金具６８は、最終的に、図６（Ａ）に示すように、止め金具６８の上面内壁部分が押込板６２の上面と当接する位置、言い換えれば止め金具６８が完全に押込板６２を押さえ込んで固定する位置まで回転する。また、このとき、当接点Ａを支点として撓んだ押込板６２は、止め金具６８の押さえ込みによって水平状態に戻り、その下面に設けられた滑り防止部材７１と固定板６１との間で研磨ベルト２０をクランプする。また、このような下側クランプ部材６０による研磨ベルト２０のクランプ状態を解除するには、止め金具６８を起立状態から傾倒状態へ回転操作することで、止め金具６８による押込板６２の他端側の押さえ込みを解除し、この状態から、蝶ナット７３を緩めることで、固定板６１及び押込板６２による研磨ベルト２０の挟み込みを緩めてクランプ状態を解除することができる。
【００２８】
なお、以上説明した下側クランプ部材６０の基板を構成する固定板６１は、取付穴６４を介してビス６３でガイドレール１１に固定して取り付けられるようになっている。このため、下側クランプ部材６０は、ガイドレール１１に対する固定板６１のビス６３止めを解除することで、簡単にガイドレール１１から取り外すことができるようになっている。また、このように下側クランプ部材６０をガイドレール１１に対して着脱自在な構成とすることで、本発明のクランプ部材となる下側クランプ部材６０は、玉磨き揚送装置１（ガイドレール１１）に対して左右反転させた状態での取り付けが可能となっている。
【００２９】
具体的には、図８（Ａ）に示すように、ガイドレール１１に対して左端に止め金具６８が配置される一方で右端に支軸ボルト６５が配置されるように固定板６１をビス６３止めした場合には、ガイドレール１１の右側に固定板６１及び押込板６２の支軸部分を配置する一方、ガイドレール１１の左側に固定板６１及び押込板６２の係合部分を配置することができる。これに対して、図８（Ｂ）に示すように、ガイドレール１１に対して右端に止め金具６８が配置される一方で左端に支軸ボルト６５が配置されるように固定板６１をビス６３止めした場合には、ガイドレール１１の左側に固定板６１及び押込板６２の支軸部分を配置する一方、ガイドレール１１の右側に固定板６１及び押込板６２の係合部分を配置することができる。
【００３０】
ところで、玉磨き揚送装置１における排出樋１０の玉排出口を遊技島台３０の長手方向に沿って配置した横置きで玉磨き揚送装置１を設置した場合、従来のクランプ部材であれば、研磨ベルト２０の交換作業を容易にするため、右向きの横置きと左向きの横置きとで個々に左右対称形状となるものを用いなければならなかった。しかしながら、本実施形態に係る下側クランプ部材６０は、上記したように玉磨き揚送装置１（ガイドレール１１）に対して左右反転させた状態での取り付けが可能となっているため、玉磨き揚送装置１の右向きの横置きと左向きの横置きとで下側クランプ部材６０を共通使用することができるようになっている。
【００３１】
なお、上記した実施形態では、固定板６１（下側クランプ部材６０）を左右反転させた状態での取り付けを可能にする本発明の取付部を、固定板６１に穿設された取付穴６４と、該取付穴６４を介して固定板６１をガイドレール１１に取り付け固定するビス６３と、で構成しているが、この構成に限定するものではない。例えば、図９及び図１０に示す変形例の下側クランプ部材６０’としてもよい。以下、変形例の下側クランプ部材６０’について、図９及び図１０を参照して説明する。図９は、変形例の下側クランプ部材６０’を示す斜視図であり、図１０は、変形例の下側クランプ部材６０’を玉磨き揚送装置１に取り付ける状態を示す斜視図である。なお、以下の説明では、上記した実施形態と同様の機能を有する部材については、同一の符号を付記すると共に、その詳細な説明を省略する。
【００３２】
図９に示すように、変形例の下側クランプ部材６０’は、下側クランプ部材６０と同様に、ガイドレール１１に対して固定される横長方形状をなす金属製の固定板６１と、該固定板６１と同様の横長方形状の金属製であり固定板６１との間で研磨ベルト２０をクランプする押込板６２と、を備えており、固定板６１の一端には、当該固定板６１の板面に対して垂直方向に立設された支軸ボルト６５が一体的に設けられる一方、固定板６１の他端には、支軸６７を中心として回転自在に設けられた止め金具６８が取り付けられている。また、押込板６２には、固定板６１と対向する面に滑り防止部材７１が一体的に取り付けられている。
【００３３】
また、下側クランプ部材６０’を構成する固定板６１には、下側クランプ部材６０のような取付穴６４は穿設されておらず、その横幅方向における両端側の裏面に、それぞれ嵌合溝８２が凹状に穿設された係合片部８１が突設されている。これに対して、下側クランプ部材６０’を取り付けるガイドレール１１の両側端には、図１０に示すように、それぞれ上下方向に沿って条設されたスライド溝８３が形成されており、そのスライド溝８３内には、当該スライド溝８３に沿った上下方向でスライド可能にスライド取付片８４が取り付けられる。また、スライド取付片８４には、螺着及びその螺着解除が可能に締結ボルト８５が取り付けられる。
【００３４】
しかして、下側クランプ部材６０’は、固定板６１の裏面に突設された左右の係合片部８１が、ガイドレール１１両側端の各スライド溝８３に取り付けられた左右のスライド取付片８４と個々に係合することで、ガイドレール１１に対して着脱自在に取り付けられる。具体的には、係合片部８１の嵌合溝８２をスライド取付片８４に螺着された締結ボルト８５に差し込み、この状態から締結ボルト８５を締結することにより、スライド取付片８４と締結ボルト８５のボルト頭部８５ａとの間でスライド溝８３を形成する側壁部分と係合片部８１とを挟持して、下側クランプ部材６０’をガイドレール１１に取り付ける。
【００３５】
そして、変形例の下側クランプ部材６０’は、支軸ボルト６５側となる固定板６１の裏面に突設された係合片部８１をガイドレール１１右側端のスライド溝８３に取り付けられたスライド取付片８４と係合させる一方で止め金具６８側となる固定板６１の裏面に突設された係合片部８１をガイドレール１１左側端のスライド溝８３に取り付けられたスライド取付片８４と係合させることにより、ガイドレール１１の右側に固定板６１及び押込板６２の支軸部分を配置する一方、ガイドレール１１の左側に固定板６１及び押込板６２の係合部分を配置することができる。これに対して、支軸ボルト６５側となる固定板６１の裏面に突設された係合片部８１をガイドレール１１左側端のスライド溝８３に取り付けられたスライド取付片８４と係合させる一方で止め金具６８側となる固定板６１の裏面に突設された係合片部８１をガイドレール１１右側端のスライド溝８３に取り付けられたスライド取付片８４と係合させることにより、ガイドレール１１の左側に固定板６１及び押込板６２の支軸部分を配置する一方、ガイドレール１１の右側に固定板６１及び押込板６２の係合部分を配置することができる。
【００３６】
即ち、変形例の下側クランプ部材６０’においても、下側クランプ部材６０と同様に、玉磨き揚送装置１（ガイドレール１１）に対して左右反転させた状態での取り付けが可能となり、玉磨き揚送装置１の右向きの横置きと左向きの横置きとで下側クランプ部材６０’を共通使用することができるようになっている。
【００３７】
また、実施形態中の構成によれば、本発明に係るクランプ部材を、ガイドレールの下端で前面から後面に折り返された部分をクランプ状態で固定する下側クランプ部材に適用した場合を例示しているが、これに限らず、ガイドレールの上端で前面から後面に折り返された部分をクランプ状態で固定する上側クランプ部材に本発明のクランプ部材を適用してもよい。
【００３８】
以上のように、本実施形態の構成によれば、固定板の一端に、蝶ナットの螺合によって押込板の一端側を固定板側へ押し込む支軸ボルトを立設する一方、固定板の他端に、押込板の一端側の押し込みによって滑り防止部材の一端が支点となって撓んだ押込板の他端側を固定板側へ押し込んで固定する回転固定部材を設けて、ガイドレールに固定された固定板と押込板との間で研磨ベルトをクランプする。これにより、ガイドレールに対して研磨ベルトを着脱自在に取り付けることができる。また、固定板は、該固定板を左右反転させた状態でガイドレールに対して着脱自在に取り付けを可能にする取付部を有するので、遊技島台の揚送装置収納部内に収納されて左右方向となる設置の向きが生じる玉磨き揚送装置に対して、研磨ベルトの交換作業を容易にした上で、１種類のクランプ部材を共通使用することができる。これにより、左右対称形状となる２種類のクランプ部材を用意する必要がなくなるため、クランプ部材の製造コストの増大や補充部品の在庫量の増大を回避することができ、さらには、クランプ部材の種類を間違って取付工事現場（遊技場）に輸送することがないので、取り付け作業の延滞を招くという問題を解消することができる。
【００３９】
また、押込板の他端側の先端部分にはＲ加工が施されているので、回転固定部材を構成する止め金具を回転操作して止め金具の上面内壁部分で押込板を押し込んで固定する場合、その止め金具の回転操作をスムーズに行うことができる。また、押込板の他端は、止め金具によって押し込み固定された状態で、止め金具の上面から外方へ突出する長さに形成されているので、止め金具の上面内壁部分が押込板の上面と当接した状態を確実に保持することができる。これにより、支軸ボルトと蝶ナットとの螺合により滑り防止部材の一端が支点となって撓んだ押込板の撓み戻りを確実に押さえ込むことができ、結果として、不用意にクランプ部材による研磨ベルトのクランプ状態が解除されるようなことを回避できる。
【００４０】
更に、止め金具の上面部分の一端側には、止め金具の回転動作を誘導する押込誘導片部が延設されているので、押込板の他端側の先端部分を止め金具の上面の内壁部分と当接させる位置まで強引に指先で押さえ込む必要がなく、結果として、クランプ部材による研磨ベルトのクランプ作業を容易にできる。
【符号の説明】
【００４１】
１  玉磨き揚送装置
３  揚送筒本体
４  下部ローラ
１１  ガイドレール
１３  搬送ベルト
１４ａ〜１４ｃ  テンションローラ
２０  研磨ベルト
２２  モータ
３０  遊技島台
３１  遊技機
３２  揚送装置収納部
４０  玉返却装置
５０  上側クランプ部材
５１  固定板
５２  スライド板
５３  開閉板
６０  下側クランプ部材
６１  固定板
６２  押込板
６３  ビス
６５  支軸ボルト
６６  取付片部
６７  支軸
６８  止め金具
６９  取っ手部
７０  押込誘導片部
７１  滑り防止部材
７２  先端アール部
７３  蝶ナット
【図１】
2010227282.tif 000003
【図２】
2010227282.tif 000004
【図３】
2010227282.tif 000005
【図４】
2010227282.tif 000006
【図５】
2010227282.tif 000007
【図６】
2010227282.tif 000008
【図７】
2010227282.tif 000009
【図８】
2010227282.tif 000010
【図９】
2010227282.tif 000011
【図１０】
2010227282.tif 000012
【図１１】
2010227282.tif 000013
【図１２】
2010227282.tif 000014